(57)【要約】      （修正有）【課題】キャップを閉じ状態としておくことができ、カビの発生を抑制して良好な衛生状態を維持できるキャップを提供する。【解決手段】キャップ本体２側の係合部は、閉じ状態で上蓋４と当接する受面１０と上蓋４の内側に配置されるように受面から上方へ突出する係合突出部６２２とを具備し、受面と係合突出部とがキャップ本体２の外周略全域に亘って形成されてなり、上蓋４側の係合部は、閉じ状態で係合突出部の外側にて気密状態で係合して受面１０との間に係合空間を形成する気密係合部４２１と気密係合部よりも外側にて受面に当接する当接面４２２を具備し、キャップ本体及び上蓋の双方には、係合空間が外部と連通するよう切欠き部がそれぞれ設けられている。【選択図】図２
2008100704.tif 000002
【特許請求の範囲】
【請求項１】
容器の口部に装着されるキャップ本体と、該キャップ本体に上方から蓋をしてキャップ内部を気密状態とするための上蓋と、キャップ本体に上蓋にて蓋をした閉じ状態でキャップ本体及び上蓋が係合する係合部とを備え、
キャップ本体側の係合部は、前記閉じ状態で上蓋と当接する受面と、前記閉じ状態で上蓋の内側に配置されるように前記受面から上方へ突出する係合突出部とを具備し、受面と係合突出部とがキャップ本体の外周略全域に亘って形成されてなり、上蓋側の係合部は、前記閉じ状態で前記係合突出部よりも外側に配置されて係合突出部に気密状態で係合して前記受面との間に係合空間を形成するように構成された気密係合部と、前記閉じ状態で前記気密係合部よりも外側にて前記受面に当接する当接面とを具備し、
前記キャップ本体及び上蓋の双方には、前記係合空間が外部と連通するよう切欠き部がそれぞれ設けられていることを特徴とするキャップ。
【請求項２】
前記キャップ本体側の切欠き部は、前記係合突出部の外方側にて受面の一部を切欠いて形成され、前記上蓋側の切欠き部は、前記閉じ状態で前記係合突出部の外方側に配置されるように当接面の一部を切欠いて形成されていることを特徴とする請求項１に記載のキャップ。
【請求項３】
前記上蓋は、その外周面から外方へ向けて舌片状に突出する摘み部を備え、前記キャップ本体側の切欠き部は、前記閉じ状態で上蓋の摘み部に対応する領域に形成されていることを特徴とする請求項１又は２に記載のキャップ。
【請求項４】
前記キャップ本体と前記上蓋とはヒンジを介して連結されており、前記上蓋側の切欠き部は、上蓋とヒンジとが連結する領域に対応する領域に形成されていることを特徴とする請求項１乃至３の何れかに記載のキャップ。
【発明の詳細な説明】
【技術分野】
【０００１】
本発明は、容器の口部に装着されるキャップに関し、特に、耐熱容器に用いられるキャップに関する。
【背景技術】
【０００２】
従来、内容物を８０℃乃至９０℃程度の高温で高温（熱間）充填した容器の口部にキャップを装着（打栓）し、その後、水をかけてシャワー冷却するキャップ付き容器に使用されるキャップとしては、例えば、容器の口部に装着されるキャップ本体と、該キャップ本体に上方から蓋をしてキャップ内部を気密状態とするための上蓋と、キャップ本体に上蓋にて蓋をした閉じ状態でキャップ本体及び上蓋が係合する係合部とを備え、キャップ本体側の係合部は、前記閉じ状態で上蓋と当接する受面と、前記閉じ状態で上蓋の内側に配置されるように前記受面から上方へ突出する係合突出部とを具備し、受面と係合突出部とがキャップ本体の外周略全域に亘って形成されてなり、上蓋側の係合部は、前記閉じ状態で前記係合突出部の外側に配置されて係合突出部に気密状態で係合して前記受面との間に係合空間を形成するように構成された気密係合部と、前記閉じ状態で前記気密係合部よりも外側にて前記受面に当接する当接面とを具備するものが知られている。
【０００３】
かかるキャップは、上蓋の開閉操作が容易であり、気密性（密封性）に優れていることから広く使用されているが、上記シャワー冷却することによって高温から低温へ温度変化し、その結果、容器内部と共に気密状態であるキャップ内部についても減圧状態となる。そうすると、このキャップ内部の減圧の作用により、受面と当接面との間からシャワー冷却に用いられる水が吸引される場合がある。また、係合空間についても、シャワー冷却による温度変化によって減圧状態となる場合があり、その減圧の作用によって受面と当接面との間から上記水が吸引される場合がある。更に、受面と当接面との間の極めて微小な隙間から、毛管現象によって上記水が吸引される場合もある。このように吸引された水は、カビが発生する原因となり、衛生上好ましくない。
【０００４】
そこで、上記構成に加えて、更に、係合突出部よりも内側にて全周に亘って立設され閉じ状態において上蓋に当接してキャップ内部を内側空間と外側空間とに二分する仕切り部と、前記外側空間が外部と連通するように形成される切欠き部とがキャップ本体に設けられているものが既に提案されている（下記特許文献１参照）。
【０００５】
かかるキャップは、切欠き部を介して外側空間を外部と連通することにより、高温から低温へ温度変化しても外側空間が減圧状態とならないようにして、水を吸引しないようにするものである。
【特許文献１】実開平５−０２４５４９号公報
【発明の開示】
【発明が解決しようとする課題】
【０００６】
しかしながら、上記従来のキャップにあっては、外側空間を外部と連通するために係合突出部を切除して切欠き部を形成しているので、キャップ本体と上蓋との係合が弱く、温度変化によるキャップの変形等によってキャップ本体と上蓋との係合が解除されて上蓋が開いてしまう場合がある。そうすると、外側空間だけでなく内側空間にも水が溜まったり埃等が蓄積されたりして衛生上問題となる。
【０００７】
また、受面と当接面との間の毛管現象により受面と当接面との間や係合空間に冷却水が浸入した場合には、乾燥させることが困難でカビが発生してしまうといった問題もあった。
【０００８】
そこで、本発明は、上記従来の問題に鑑みてなされ、キャップ本体と上蓋とを確実に係合させてキャップを閉じ状態としておくことができると共に、減圧作用による水の吸引を抑制する一方で、誤って水が浸入しても速やかに乾燥させることで、カビの発生を抑制して良好な衛生状態を維持することができるキャップを提供することを課題とする。
【課題を解決するための手段】
【０００９】
本発明は、上記課題を解決すべくなされたものであり、本発明に係るキャップは、容器の口部に装着されるキャップ本体と、該キャップ本体に上方から蓋をしてキャップ内部を気密状態とするための上蓋と、キャップ本体に上蓋にて蓋をした閉じ状態でキャップ本体及び上蓋が係合する係合部とを備え、キャップ本体側の係合部は、前記閉じ状態で上蓋と当接する受面と、前記閉じ状態で上蓋の内側に配置されるように前記受面から上方へ突出する係合突出部とを具備し、受面と係合突出部とがキャップ本体の外周略全域に亘って形成されてなり、上蓋側の係合部は、前記閉じ状態で前記係合突出部の外側に配置されて係合突出部に気密状態で係合して前記受面との間に係合空間を形成するように構成された気密係合部と、前記閉じ状態で前記気密係合部よりも外側にて前記受面に当接する当接面を具備し、前記キャップ本体及び上蓋の双方には、前記係合空間が外部と連通するよう切欠き部がそれぞれ設けられていることを特徴とする。
【００１０】
該構成のキャップにあっては、係合突出部と気密係合部とがキャップの外周略全域に亘って形成されているので、閉じ状態においてキャップ本体と上蓋とが外周略全域に亘って係合し、閉じ状態での係合力が強くなる。また、切欠き部がキャップ本体及び上蓋のそれぞれに係合空間が外部と連通するよう設けられているので、シャワー冷却して高温から低温へ温度変化しても、係合空間が減圧状態となるのを抑制することができる。よって、係合空間の減圧作用による外部からの水の吸引を抑制することができる。
【００１１】
また、切欠き部はキャップ本体及び上蓋の双方に設けられているので、一方側の切欠き部から他方側の切欠き部へ係合空間内部を空気が流通し易くなっている。従って、例えば閉じ状態で気密状態となっているキャップ内部の減圧作用によって水が係合空間に吸引されて浸入した場合や、キャップ本体の受面と上蓋の当接面との間の毛管現象により係合空間に水が浸入した場合などのように、誤って水が浸入した場合においても、これを蒸発させてキャップを速やかに乾燥状態とすることができる。
【００１２】
特に、前記キャップ本体側の切欠き部は、前記係合突出部の外方側にて受面の一部を切欠いて形成され、前記上蓋側の切欠き部は、前記閉じ状態で前記係合突出部の外方側に配置されるように当接面の一部を切欠いて形成されていることが好ましく、キャップの強度を確保しつつその構造を簡単なものとすることができる。
【００１３】
また前記上蓋は、その外周面から外方へ向けて舌片状に突出する摘み部を備え、前記キャップ本体側の切欠き部は、前記閉じ状態で上蓋の摘み部に対応する領域に形成されていることが好ましく、閉じ状態においてキャップ本体側の切欠き部が摘み部の下側に位置するので、切欠き部に埃等が蓄積し難く、しかも外部から切欠き部が見え難くなるので外観がよくなり商品価値を向上させることができる。
【００１４】
前記キャップ本体と前記上蓋とはヒンジを介して連結されており、前記上蓋側の切欠き部は、上蓋とヒンジとが連結する領域に対応する領域に形成されていることが好ましく、閉じ状態において上蓋側の切欠き部がヒンジによって覆われる、即ち、閉じ状態において切欠き部がヒンジの内側に配置された状態となるので、切欠き部に埃等が蓄積し難く、しかも外部から切欠き部が見え難くなって外観がよくなり商品価値を向上させることができる。
【発明の効果】
【００１５】
このように、本発明にかかるキャップにあっては、係合突出部と気密係合部とがキャップの外周略全域に亘って形成されているので、閉じ状態でのキャップ本体と上蓋との係合力が強く、従って、従来のように不用意にキャップ本体と上蓋との係合が解除して上蓋部が開いてしまうことなく、確実にキャップ本体と上蓋とを係合させてキャップを閉じ状態としておくことができる。また、係合空間が外部と連通するようにキャップ本体及び上蓋の双方に切欠き部がそれぞれ設けられているので、係合空間の減圧作用による水の吸引を抑制することができる一方で、誤って水が浸入した場合であっても、これを蒸発させてキャップを速やかに乾燥させることができる結果、カビの発生を抑制して良好な衛生状態を維持することができるという効果を奏する。
【発明を実施するための最良の形態】
【００１６】
以下、本発明に係るキャップの一実施形態について図面を参酌しつつ説明する。
図１に、本実施形態におけるキャップとしてのヒンジキャップ１が示されている。該ヒンジキャップ１は、容器（図示しない）の口部に装着されるキャップ本体２と、該キャップ本体２にヒンジ３を介して連設される上蓋４とを備える。このヒンジキャップ１は、図１に示す上蓋４を開いた状態において、キャップ本体２の中心点と上蓋４の中心点とを通る基準中心線Ｃ１に対してその全体が左右対称に構成されている。尚、キャップ本体２と上蓋４とは、それぞれの後方側にてヒンジ連結されている。また、ヒンジ連結されている場合に限られず、例えば、上蓋４をキャップ本体２に螺合する態様のキャップであってもよい。
【００１７】
そして、上蓋４は、キャップ本体２の中心点と上蓋４の中心点との中点を通り基準中心線Ｃ１に直角な方向（左右方向）に沿う回動中心線Ｃ２を回動の中心として、キャップ本体２に対して蓋をする閉じ位置とキャップ本体２に対して蓋を開く開き位置とを回動可能に構成されている。即ち、上蓋４は、閉じ位置ではキャップ本体２に上方から気密状態で係合し、開き位置ではキャップ本体２と基準中心線Ｃ１の方向（前後方向）に並ぶように、前記回動中心線Ｃ２を中心に上方へ回動自在となっている。従って、上蓋４は、閉じ位置ではキャップ本体２を覆うようにキャップ本体２の上方に位置し、開き位置では閉じ位置での姿勢に対し上下逆向きとなってキャップ本体２の側方に位置する。
【００１８】
キャップ本体２は、図１及び図２に示すように、有底筒状であって容器の口部に内嵌される注出部５と、円筒状であって容器の口部に外嵌され、注出部５が内側になるように注出部５に連設される連設部６２を備える外壁部６とを備える。
【００１９】
注出部５は、筒状の周壁部５１と該周壁部５１の下端側開口を閉塞する底壁部５２とを備える。周壁部５１は、その軸線が上下方向である円筒状であり、その上端部のうち前方約半分には外方へ延設された鍔部５１１が形成されている。また、周壁部５１の下端部には、外方へ向けて膨出した周壁膨出部５１２が全周に亘って形成されており、注出部５を容器の口部に内嵌した状態において、周壁膨出部５１２が容器に圧接状態で係合するようになっている。
【００２０】
底壁部５２は、その中心側（内周側）に略水平に配置される底水平部５２１と、該底水平部５２１の周縁全周に亘って外方へ向けて斜め上方へ延設される底傾斜部５２２とを備える皿状である。底壁部５２は、前記底傾斜部５２２の周縁部が周壁部５１の下端部に一体的に連続して周壁部５１の下端部を閉塞している。尚、底壁部５２の厚みは、例えば１ｍｍである。
【００２１】
底壁部５２には、図３に示すように、その裏面側（下面側）に脆弱部としての薄肉溝部７が設けられている。この薄肉溝部７は、容器に充填された内容物を注出するための開口を形成ように環状に構成され、この開口を開封する開始側７Ａと開封を終了する終了側７Ｂとを具備する。即ち、薄肉溝部７で囲まれる領域を開始側７Ａ（キャップ本体２の後方側）から終了側７Ｂ（キャップ本体２の前方側）へ向けて（矢印７ＡＢの方向に）捲り上げるように切除することによって、内容物を注出するための開口が底壁部５２に形成されるのである。尚、薄肉溝部７は、開始側７Ａと終了側７Ｂとを結ぶ径（前記基準中心線Ｃ１）を対称の軸（以下、対称軸線７Ｃという）として線対称な環状となっている。
【００２２】
薄肉溝部７は、底水平部５２１を囲むように底傾斜部５２２に形成されている。具体的には、薄肉溝部７は、底壁部５２を裏面側から切り欠いて、その底部が薄肉となった溝を、無端状に連続させて環状となっており、この溝が底傾斜部５２２に形成されている。
【００２３】
薄肉溝部７は、開始側７Ａから終了側７Ｂへ向けて順に、開始側７Ａと終了側７Ｂとを結ぶ径（薄肉溝部７の対称軸線７Ｃ）方向外方へ突出する凸部７１と、該凸部７１の開封終端側７１ｂに連続すると共に前記径方向に直交する径方向に沿って外方へ形成される一対の平坦部７２と、該平坦部７２の開封終端側７２ｂに連続すると共に開封の開始側７Ａで接近し終了側７Ｂで離間するよう傾斜する一対の第２傾斜部７３と、該第２傾斜部７３の開封終端側７３ｂに連続すると共に開封の開始側７Ａと終了側７Ｂとを結ぶ径方向に直交する径方向の外方へ向けて湾曲する一対の湾曲部７４と、該湾曲部７４の開封終端側７４ｂに連続すると共に開封の開始側７Ａで離間し終了側７Ｂで接近するように傾斜する一対の第３傾斜部７５とを備える。尚、各部位の開封始端側とは、薄肉溝部７で囲まれる領域を開始側７Ａから終了側７Ｂへ向けて捲り上げるようにして底壁部５２を薄肉溝部７に沿って引裂いて切除する際の、各部位での引裂きが開始する側を意味し、各部位の開封終端側とは前記引裂きが終了する側を意味する。
【００２４】
凸部７１は、その開封始端側７１ａで接近し開封終端側７１ｂで離間するよう傾斜する一対の第１傾斜部７１１を備えてなり、該第１傾斜部７１１の開封始端部７１ａ，７１ａ同士が第１連結部７６にて連結されている。この第１傾斜部７１１は、前記薄肉溝部７の対称軸線７Ｃに対して開封終端側７１ａほど対称軸線７Ｃから離間するように、例えば３５°に傾斜する直線状に形成されている。凸部７１は、薄肉溝部７の開封の開始側７Ａに位置しており、従って、薄肉溝部７の開封の開始側７Ａは、その対称軸線７Ｃ方向に沿って外方へ突出する形状となっている。また、凸部７１によって囲まれる領域、即ち、第１傾斜部７１１によって囲まれる略三角形状の領域は、開封開始領域７Ｄとして形成されている。尚、第１傾斜部７１１の肉厚は、例えば０．２ｍｍであり、従って、第１傾斜部７１１の溝深さは０．８ｍｍである。
【００２５】
平坦部７２は、前記対称軸線７Ｃに直交する方向に直線状に伸びるように形成されており、第１傾斜部７１１の長さより短く（例えば、第１傾斜部７１１の長さの３分の１程度の長さ）、前記対称軸線７Ｃと第１傾斜部７１１の開封終端側７１ｂとの離間距離よりも短くなる（例えば、約半分の長さ）ように形成されている。平坦部７２は、その開封始端側７２ａが開封終端側７２ｂよりも前記対称軸線７Ｃに近くなるように形成されており、開封の終了側７Ｂに湾曲した曲線状の連結部としての第２連結部７７を介して、第１傾斜部７１１の開封終端側７１ｂに連続している。具体的には、第２連結部７７は、薄肉溝部７にて囲まれる領域の内方に凸となるように湾曲している。尚、平坦部７２は前記対称軸線７Ｃを介して左右に一対設けられている。また、平坦部７２の肉厚は、図４に示すように、薄肉溝部７の他の部分の肉厚よりも薄くなっており、例えば０．１５ｍｍである。従って、平坦部７２の溝深さは、薄肉溝部７の他の部分の溝深さよりも深く、例えば０．８５ｍｍである。また、第２連結部７７を設けず第１傾斜部７１１と平坦部７２とが直接連続するように構成することもできる。
【００２６】
第２傾斜部７３は、前記対称軸線７Ｃに対して開封終端側７３ｂほど対称軸線７Ｃから離間するように、例えば第１傾斜部７１１の傾斜角度よりも大きい傾斜角度（例えば４５°）で直線状に形成されている。第２傾斜部７３は、平坦部７２の長さよりも長く、第１傾斜部７１１の長さよりも若干短くなるように形成されている。尚、第２傾斜部７３は、前記対称軸線７Ｃを介して左右に一対設けられている。また、第２傾斜部７３の肉厚は、平坦部７２の肉厚よりも厚く、例えば０．２ｍｍである。従って、第２傾斜部７３の溝深さは、平坦部７２の溝深さよりも浅く、例えば０．８ｍｍである。第２傾斜部７３は、開封の開始側７Ａに湾曲した曲線状の第３連結部７８を介して、平坦部７２の開封終端側７２ｂに連続している。具体的には、第３連結部７８は、薄肉溝部７にて囲まれる領域の外方に凸となるように湾曲している。尚、第３連結部７８を設けず平坦部７２と第２傾斜部７３とが直接連続するように構成することもできる。また、第２傾斜部７３は直線状に限られず、例えば、薄肉溝部７にて囲まれる領域の外方へ膨らむ曲線状であってもよい。
【００２７】
湾曲部７４は、前記対称軸線７Ｃに直交する方向で且つ薄肉溝部７にて囲まれる領域の外方へ向けて膨らむように湾曲した形状となっている。具体的には、湾曲部７４は、その開封始端側７４ａが大きい曲率で、開封終端側７４ｂが小さい曲率となる、換言すると、その開封始端側７４ａが径の小さい円弧状であり、開封終端側７４ｂが前記円弧の径よりも大きい径の円弧状となるように曲線状に形成されている。湾曲部７４は、開封の開始側７Ａに湾曲した曲線状の第４連結部７９を介して、第２傾斜部７３の開封終端側７３ｂに連続している。具体的には、第４連結部７９は、薄肉溝部７にて囲まれる領域の外方に膨らむように湾曲している。湾曲部７４は、前記対称軸線７Ｃを介して左右に一対設けられており、従って、両湾曲部７４同士は、その開封始端側７４ａ，７４ａにて互いに接近し、中途部分へかけて互いに離間していき、その後開封終端側７４ｂ，７４ｂにかけて再度互いに接近している。尚、湾曲部７４の肉厚は、平坦部７２の肉厚よりも厚く、例えば０．２ｍｍである。従って、湾曲部７４の溝深さは、平坦部７２の溝深さよりも浅く、例えば０．８ｍｍである。尚、第４連結部７９を設けず第２傾斜部７３と湾曲部７４とが直接連続するように構成することもできる。
【００２８】
第３傾斜部７５は、前記対称軸線７Ｃに対して開封終端側７５ｂほど対称軸線７Ｃに近くなる、即ち、第２傾斜部７３の傾斜とは反対の傾斜となるように、例えば第２傾斜部７３の傾斜角度よりも大きい傾斜角度（例えば５５°）で直線状に形成されている。第３傾斜部７５は、平坦部７２の長さよりも長く、第１傾斜部７１１の長さよりも長くなるように形成されている。尚、第３傾斜部７５は前記対称軸線７Ｃを介して左右に一対設けられている。また、第３傾斜部７５の肉厚は、平坦部７２の肉厚よりも厚く、例えば０．２ｍｍである。従って、湾曲部７４の溝深さは、平坦部７２の溝深さよりも浅い。第３傾斜部７５は、湾曲部７４の開封終端側７４ｂに湾曲部７４に対し接線状に連続している。また、両第３傾斜部７５は、その開封終端同士７５ｂ，７５ｂが開封の終了側７Ｂに湾曲する、即ち、薄肉溝部７にて囲まれる領域の外方へ向けて膨らむ曲線状の第５連結部８０にて連結されている。尚、第３傾斜部７５は、直線状に限られず、例えば、薄肉溝部７にて囲まれる領域の外方へ膨らむ曲線状であってもよい。
【００２９】
このような薄肉溝部７は、開始側７Ａと終了側７Ｂとを結ぶ径方向（対称軸線７Ｃ方向）が基準中心線Ｃ１方向と一致し、開始側７Ａがヒンジ３に近く、終了側７Ｂがヒンジ３から遠くなるように底壁部５２に設けられている。具体的には、薄肉溝部７は、凸部７１がキャップ本体２の後方側に第３傾斜部７５（第５連結部８０）がキャップ本体２の前方側になるように、その対称軸線７Ｃがキャップ本体２の前後方向に沿うように設けられている。換言すると、薄肉溝部７は、その対称軸線７Ｃが基準中心線Ｃ１に一致し、且つ、凸部７１がヒンジ３に近く第３傾斜部７５（或いは第５連結部８０）がヒンジ３から遠くなるように底壁部５２の裏面側に形成されている。尚、底水平部５２１は、薄肉溝部７にて囲まれる領域内に位置しており、特に、開封開始領域７Ｄよりも開封の終了側７Ｂに位置している。
【００３０】
両平坦部７２の間には、前記対称軸線７Ｃに直交する方向（キャップ本体２の左右方向）に沿う弱化部８が設けられている。該弱化部８は、一方の平坦部７２の開封始端側７２ａ付近から他方の平坦部７２の開封始端側７２ａ付近にまで直線状に形成されており、その肉厚は、第１傾斜部７１１の肉厚よりも厚くなっている。尚、弱化部８は、必要に応じて適宜設けることができるものであり、場合によっては設けなくてもよい。
【００３１】
前記凸部７１にて形成される開封開始領域７Ｄには、その上面（表面）に開封部材９が設けられている。この開封部材９は、図２に示すように、開封開始領域７Ｄの上面に上方へ向けて立設される支柱部９１と、該支柱部９１の上端部から前方へ向けて形成される環状のリング部９２とを備えてなり、リング部９２が注出部５の内部にほぼ収まるように構成されている。
【００３２】
外壁部６は、図１及び図２に示すように、容器口部に外嵌することができるように構成されており、その軸線が上下方向に沿う円筒状である。具体的には、外壁部６は、その下端部に容器の口部と気密状態で係合する外壁膨出部６１１が形成された外壁主部６１と、該外壁主部６１の上端部に設けられ注出部５に連設する連設部６２とを備える。
【００３３】
外壁主部６１は、その軸線が上下に伸びると共に内径の中心が外径の中心に対して基準中心線Ｃ１に沿って位置ずれした略円筒形状である。即ち、外壁主部６１は、その一方側（キャップ本体２の前方側）から他方側（キャップ本体２の後方側）にかけて徐々に厚肉となっている。尚、外壁主部６１は、一定の肉厚であってもよい。
【００３４】
また、外壁主部６１の一方側には、その上端部に外壁切欠き部６１２が設けられている。具体的には、外壁切欠き部６１２は、外壁主部６１の上面６１３から外方へ向けて斜め下方に外壁主部６１の上端部を切欠いて形成されており、基準中心線Ｃ１を中心に（キャップ本体２の前後方向に対し）左右に所定範囲に亘って形成されている。本実施形態では、外壁切欠き部６１２は、基準中心線Ｃ１に対し、左右に各々約３０°の範囲で形成されている。一方、他方側には、外壁主部６１の上面６１３から下方へ向けて破断溝１２が形成されており、該破断溝１２によって、外壁主部６１を上下方向に容易に破断することができるようになっている。よって、外壁切欠き部６１２と破断溝１２とは、基準中心線Ｃ１の方向（キャップ本体２の前後方向）に対向するように外壁切欠き部６１２が前方側に破断溝１２が後方側に配置されている。
【００３５】
外壁主部６１の下端部の内面側には、内方へ膨出する外壁膨出部６１１が全周に亘って形成されている。尚、外壁膨出部６１１は、外壁部６を容器口部に外嵌した際に、容器に圧接状態で係合するよう構成されている。
【００３６】
また、外壁主部６１の上端部には内方に延設された連設部６２が全周に亘って形成されており、連設部６２の上面６２１が外壁主部６１の上面６１３と面一となって受面１０を構成している。即ち、受面１０は、外壁部６の上面であり、上下方向に対して直交する平面、即ち、水平面であり、周壁部５１を取り囲むように周壁部５１の周囲全周に亘って形成されている。尚、受面１０は、前記外壁切欠き部６１２によってその一部が切除されている。
【００３７】
連設部６２は注出部５の周壁部５１に連設されており、これよって注出部５が内側に外壁部６が外側に配置されて注出部５と外壁部６とが一体となっている。具体的には、連設部６２は、周壁部５１の上下方向の中途部分にて周壁部５１に一体となるように接続されており、従って、周壁部５１と外壁主部６１との間には隙間が形成されており、この隙間に容器口部を挿入してキャップ本体２を容器口部に装着する。この際、外壁膨出部６１１が容器口部に外側から圧接状態で係合し、周壁膨出部５１２が容器口部に内側から圧接状態で係合するので、キャップ本体２は、容器内部が気密状態となるように容器口部に装着される。尚、外壁部６の下端面は底壁部５２よりも下側に位置しており、外壁膨出部６１１は周壁膨出部５１２よりも下側に位置している。
【００３８】
また、連設部６２には、その上面６２１から上方へ突出する係合突出部６２２が設けられている。具体的には、係合突出部６２２は、その先端部に外方へ向けて突出する係合小突起部６２３を具備し、外壁主部６１との境界付近に全周に亘って形成されている。従って、係合突出部６２２は、周壁部５１から外方へ離間した位置にて環状に形成されており、係合突出部６２２と周壁部５１との間には全周に亘って隙間が形成されている。尚、外壁部６に設けられている外壁切欠き部６１２は、係合突出部６２２よりも外方に形成されており、従って、係合突出部６２２は、外壁切欠き部６１２によって切り欠かれることなく、全周に亘って連続している。前記受面１０と前記係合突出部６２２とで、キャップ本体２側の係合部を構成している。また、係合突出部６２２の上面６２２１は、水平に形成されている。
【００３９】
上蓋４は、天板部４１と、該天板部４１の周縁部から天板部４１の裏面側へ延設されるスカート部４２と、該スカート部４２から内側へ離間して天板部４１の裏面に突設される内嵌部４３とを備える。天板部４１は、外壁部６の外径とほぼ同じ径である円盤状である。スカート部４２は、天板部４１の外周縁部から全周に亘って天板部４１の裏面方向に延設して形成されており、その先端部には上蓋４側の係合部が全周に亘って設けられている。
【００４０】
具体的には、上蓋４側の係合部は、スカート部４２の先端部内面側に設けられる気密係合部４２１とスカート部４２の先端面である当接面４２２とを具備してなる。気密係合部４２１は、前記当接面４２２からスカート部４２の基端部側に離間して内方へ向けて突起した気密突起部４２３と、該気密突起部４２３に連続して形成され内方へ向けて開口した係合溝４２４とを具備し、それらが全周に亘って形成されてなる。また、当接面４２２は、天板部４１の面方向と平行な方向の平面となっており、従って、スカート部４２の先端部は面一に形成されている。尚、気密係合部４２１の上面、即ち、係合溝４２４の上面４２４１は天板部４１の面方向と平行な方向の面となっている。
【００４１】
また、上蓋４は、その一方側（前方側）に摘み部４４を備える。具体的には、摘み部４４は、スカート部４２の先端部に、基準中心線Ｃ１を中心にして左右に所定範囲に亘って、外方へ向けて舌片状に形成されている。尚、摘み部４４の所定範囲は、キャップ本体２の外壁切欠き部６１２の所定範囲よりも若干大きい。
【００４２】
また、上蓋４は、その他方側に蓋切欠き部４２５を備える。具体的には、蓋切欠き部４２５は、スカート部４２の先端部の一部を当接面４２２と平行な方向に切欠いて形成されており、従って、当接面４２２は、蓋切欠き部４２５によってその一部が切除されて途切れている。蓋切欠き部４２５は、上蓋４の後方側、具体的には摘み部４４に対向する位置に設けられており、本実施形態では、基準中心線Ｃ１を介して左右に所定範囲内（例えば、外壁切欠き部６１２の所定範囲に略等しい範囲内）一対設けられている。尚、蓋切欠き部４２５の周方向の長さは、外壁切欠き部６１２の周方向の長さよりも短い。
【００４３】
内嵌部４３は、略円筒状の形状であり、その軸線方向が天板部４１の面方向に直交する方向に沿うように、スカート部４２よりも内側にスカート部４２から離間して天板部４１の裏面に突設されている。従って、スカート部４２と内嵌部４３との間には隙間が形成されている。また、内嵌部４３の先端部には、外方へ突出した内嵌突起部４３１が全周に亘って形成されており、内嵌突起部４３１よりも先端側は先細になっている。尚、内嵌部４３の先端面は、スカート部４２の先端面（当接面４２２）と面一になっている。
【００４４】
以上のような構成のキャップ本体２と上蓋４とは、ヒンジ３を介して連結されている。具体的には、ヒンジ３は、その前後方向の一端側がキャップ本体２の後方側に連設され、他端側が上蓋４の後方側に連設されている。より詳細には、ヒンジ３は、その前後方向の一端側が外壁主部６１の外周面上端部であって破断溝１２に対応する位置に連設されており、他端側がスカート部４２の外周面先端部であって蓋切欠き部４２５に対応する位置に連設されている。尚、蓋切欠き部４２５は、その周方向端部がヒンジ３の左右方向両端部よりも外側になっており、本実施形態では、蓋切欠き部４２５は、ヒンジ３の左右方向両端部よりも各蓋切欠き部４２５の基準中心線Ｃ１から遠い側がヒンジ３の左右方向両端部よりそれぞれ外側になっている。
【００４５】
続いて、上蓋４によってキャップ本体２に上方から蓋をした閉じ状態について説明する。
図５（Ａ）に示すように、図１に示す開き状態から回動中心線Ｃ２を回動の中心にして上蓋４を回動させると、キャップ本体２側の係合部と上蓋４側の係合部とが気密状態で係合する。尚、キャップ本体２側の係合部と上蓋４側の係合部とで、ヒンジキャップ１の係合部が構成されている。具体的には、キャップ本体２の外壁部６の上面（受面１０）に立設されている係合突出部６２２がスカート部４２の先端部に内嵌し、係合突出部６２２と上蓋４のスカート部４２の先端部内面側に設けられている気密係合部４２１とが係合する。より詳細には、図５（Ｂ）及び（Ｃ）に示すように、係合突出部６２２の係合小突起部６２３と気密係合部４２１の係合溝４２４とが係合し、係合小突起部６２３の下方側にて気密突起部４２３が係合突出部６２２に圧接状態で係合する。
【００４６】
このように、気密突起部４２３が係合突出部６２２に圧接状態で係合するので、キャップ内部空間１１は気密状態となる。尚、かかる係合状態で、外壁部６の上面（受面１０）とスカート部４２の先端面（当接面４２２）とは当接すると共に、係合突出部６２２の上面６２２１と係合溝４２４の上面４２４１とは当接する。また、気密係合部４２１は当接面４２２からスカート部４２の基端部側に離間して形成されており、受面１０と当接面４２２とは当接しており、更に気密突起部４２３が係合突出部６２２に圧接状態で係合しているので、それらによって囲まれる領域に係合空間Ｘが全周に亘って形成される。
【００４７】
また、注出部５の上端部に内嵌部４３が気密状態にて内嵌する。具体的には、注出部５の周壁部５１の内側に内嵌部４３が嵌り、内嵌部４３の内嵌突起部４３１が周壁部５１に圧接状態で係合する。このように、内嵌突起部４３１が周壁部５１に圧接状態で係合するので、キャップ内部空間１１は内側空間１１１と外側空間１１２とに二分割される。
【００４８】
また、外壁切欠き部６１２は、閉じ状態で上蓋４の摘み部４４に対応する領域に形成されている、具体的には、外壁切欠き部６１２は、破断溝１２に対向して、即ち、外壁部６の前方側に設けられ、摘み部４４はスカート部４２の前方側に設けられているので、閉じ状態では、摘み部４４の下側に外壁切欠き部６１２が位置する。よって、外壁切欠き部６１２に埃等が蓄積し難く、しかも外部から外壁切欠き部６１２が見え難くなるので外観がよくなり商品価値を向上させることができる。
【００４９】
また、蓋切欠き部４２５は、上蓋４とヒンジ３とが連結する領域に対応する領域に形成されている、具体的には、蓋切欠き部４２５は上蓋４の後方側に設けられており、この上蓋４の後方側にヒンジ３が連設されているので、閉じ状態では、蓋切欠き部４２５はヒンジ３によって覆われる、即ち、蓋切欠き部４２５はヒンジ３よりも内側に配置された状態となる。よって、蓋切欠き部４２５に埃等が蓄積し難く、しかも外部から蓋切欠き部４２５が見え難くなって外観がよくなり商品価値を向上させることができる。尚、本実施形態では、蓋切欠き部４２５は、図６（Ａ）及び（Ｂ）に示すように、その周方向端部がヒンジ３の左右方向両端部よりも外側になっている。つまり、閉じ状態において、蓋切欠き部４２５の周方向端部は、ヒンジ３によって覆われていない。従って、埃等の蓄積防止や美観向上を得つつ後述の係合空間Ｘの通気性を向上させることができる。
【００５０】
以上のように、閉じ状態では、係合突出部６２２と気密係合部４２１とがキャップの外周略全域に亘って形成されているので、閉じ状態においてキャップ本体２と上蓋４とが外周略全域に亘って係合し、閉じ状態での係合力が強くなる。従って、例えば、高温（熱間）充填後のシャワー冷却中に不用意にキャップ本体２と上蓋４との係合が解除して上蓋４部が開いてしまうことなく、確実にキャップ本体２と上蓋４とを係合させてキャップを閉じ状態としておくことができる。
【００５１】
また、外壁部６には外壁切欠き部６１２が、スカート部４２には蓋切欠き部４２５が各々設けられて係合空間Ｘが外部と連通するので、高温充填後にシャワー冷却して高温から低温へ温度変化しても、係合空間Ｘが減圧状態となるのを抑制することができる。よって、係合空間Ｘの減圧作用による外部からの水の吸引を抑制することができる。また、外壁切欠き部６１２と蓋切欠き部４２５とを設けることによって、一方の切欠き部から他方の切欠き部へ係合空間Ｘ内部を空気が流通し易くなっている。従って、例えば閉じ状態で気密状態となっている外側空間１１２のシャワー冷却による減圧作用によって、水が係合空間Ｘに吸引されて浸入した場合や、受面１０と当接面４２２との間の毛管現象により係合空間Ｘに水が浸入した場合などのように、誤って水が浸入した場合においても、これを蒸発させてキャップを速やかに乾燥状態とすることができる。従って、受面１０と当接面４２２との間の微小な隙間や係合空間Ｘ内に水が浸入して、カビが発生するのを抑制して良好な衛生状態を維持することができる。
【００５２】
次に、容器に充填された内容物を注出する開口を形成するための底壁部５２の開封動作について説明する。
まず、閉じ状態のキャップの摘み部４４に手指を引掛けて、上蓋４とキャップ本体２との係合を解除して上蓋４を回動させ、上蓋４を開いた状態（図１に示す状態）とした後、開封部材９のリング部９２を把持して開封の終了側７Ｂ（キャップ本体２の前方側）へ引張ると、支柱部９１を介して開封開始領域７Ｄを形成する第１傾斜部７１１と第１連結部７６とに引張力が作用する。そうすると、第１連結部７６が引裂かれた後に第１傾斜部７１１がその開封始端側７１ａから開封終端側７１ｂへ向けて引裂かれて開封が開始する。ここで、開封を開始する際、即ち、最初に底壁部５２を薄肉溝部７に沿って引裂く際には、比較的大きな引裂き力（引張力）が必要であるが、第１傾斜部７１１は、その開封始端側７１ａで接近し開封終端側７１ｂで離間するよう傾斜して構成されているので、開封開始時に第１連結部７６及び第１傾斜部７１１の開封始端側７１ａに引張力が集中して引裂きが容易になる。そして、第１連結部７６及び第１傾斜部７１１は勢いよく（瞬時に）引裂かれて、その勢いのまま、第１傾斜部７１１の開封終端側７１ｂに第２連結部７７を介して連続する平坦部７２に前記引張力が作用する。ここで、平坦部７２の形成方向は、開封の開始側７Ａと終端側７Ｂとを結ぶ径方向（薄肉溝部７の対称軸線７Ｃ方向）に直交する径方向外方、即ち、引張力が加えられる方向に直交する方向であるので、第１傾斜部７１１を勢いよく引裂いた引張力は分散される。そうすると、平坦部７２は引裂かれないので、薄肉溝部７の引裂きは一旦停止する。その結果、薄肉溝部７にて囲まれる開口となる領域全体のうち開封開始領域７Ｄのみが開口した状態で開封は一旦停止する。従って、開封開始領域７Ｄのみが開口した時点で開封を確実に一旦停止して開封時の容器内部の内容物の外部への飛散を抑制することができる。
【００５３】
そして、開封を再開すべく再び開封部材９を引張ると、平坦部７２に引張力が作用する。ここで、平坦部７２は薄肉の溝形状であり、特に、平坦部７２の肉厚は薄肉溝部７の他の部分の肉厚よりも薄くなっているので、大きな引張力を加えなくても平坦部７２を容易に引裂いて開封を再開することができる。
【００５４】
また、第１傾斜部７１１と平坦部７２とは、第２連結部７７を介して連続してので、引裂き方向の転換が徐々になされて、開封を再開する際の平坦部７２の引裂きは一層容易になっている。
【００５５】
そして、平坦部７２の開封終端部７２ｂまで引裂くと、第３連結部７８を介して第２傾斜部７３に引張力が作用する。ここで、第２傾斜部７３は、その開封始端側７３ａで接近し開封終端側７３ｂで離間するよう傾斜して構成されているので、安定した引裂きを確保しつつ開口面積を大きくすることができる。
【００５６】
更に、第２傾斜部７３の開封終端側７３ｂまで引裂くと、第４連結部７９を介して湾曲部７４に引張力が作用する。ここで、湾曲部７４は、対称軸線７Ｃに直交する方向で外方へ向けて湾曲する形状であるので、安定した引裂きを確保しつつ引裂き方向を対称軸線７Ｃから離間していく方向から接近していく方向へと容易に転換することができる。
【００５７】
また更に、湾曲部７４の開封終端側７４ｂまで引裂くと、湾曲部７４の開封終端側７４ｂに連続する第３傾斜部７５に引張力が作用する。ここで、第３傾斜部７５は、その開封始端側７５ａで離間し開封終端側７５ｂで接近するように傾斜ように構成されているので、第３傾斜部７５の開封終端側７５ｂに引張力を集中させることができるので、開封終了時の容器内部の内容物の飛散を効果的に抑制することができる。
【００５８】
また、薄肉溝部７は、全周に亘って連続する溝状であることが好ましく、開封に際し安定してスムーズに引裂くことができる。
【００５９】
また更に、弱化部８が設けられているので、より確実に開封開始領域７Ｄのみが開口した状態で開封を一旦停止することができる。
【００６０】
尚、本実施形態では、薄肉溝部７がその対称軸線７Ｃが基準中心線Ｃ１と一致するように形成される場合について説明したが、これに限られず、例えば、薄肉溝部７はその対称軸線７Ｃが基準中心線Ｃ１に直交するように設けてもよい。また、薄肉溝部７は底壁部５２の上面側に設けてもよい。
【００６１】
また、本実施形態では、薄肉溝部７が基準中心線Ｃ１を対称の軸として線対称な環状に構成されている場合について説明したが、これに限られず、非対称であってもよい。
【００６２】
更に、本実施形態では、薄肉溝部７がその底部が薄肉の溝を無端状に連続させた環状に形成されている場合について説明したが、これに限られず、溝を破断線状の環状に構成して薄肉溝部７を形成してもよい。
【００６３】
また更に、本実施形態では、凸部７１が、その開封の開始側７Ａで接近し開封の終了側７Ｂで離間するよう傾斜する一対の第１傾斜部７１１と、両第１傾斜部７１１の開封始端７１ａ間に亘る第１連結部７６とを備える場合について説明したが、これに限られず、例えば、凸部７１は、その開封始端側から開封終端側まで基準中心線Ｃ１に平行な方向に沿って直線状に形成される一対の対峙部と、両対峙部の開封始端側に亘る直線状或いは曲線状の対峙連結部とを備える場合であってもよい。また、凸部７１は、開封の開始側７Ａに膨らむ円弧状に形成してもよい。
【００６４】
また、本実施形態では、薄肉溝部７の肉厚のうち平坦部７２の肉厚が他の部分よりも薄い場合について説明したが、これに限られず、薄肉溝部７全体で均一な肉厚とすることもできる。
【００６５】
更に、本実施形態では、外壁切欠き部６１２が外壁部６の前方側に設けられる場合について説明したが、これに限られず、例えば、外壁部６の左右側に設ける場合であってもよい。また、１箇所設ける場合に限られず、複数箇所設けてもよい。
【００６６】
また更に、本実施形態では、蓋切欠き部４２５が上蓋４の後方側に設けられる場合について説明したが、これに限られず、例えば、上蓋４の左右側に設ける場合であってもよい。また、複数箇所設ける場合に限られず、１箇所だけ設けてもよい。
【００６７】
また、外壁切欠き部６１２及び蓋切欠き部４２５の切欠き形状は、係合空間Ｘを外部と連通するものであれば適宜設計変更可能である。
【図面の簡単な説明】
【００６８】
【図１】本発明の一実施形態に係るキャップの上蓋が開いた状態を示す平面図。
【図２】図１のＡ−Ａ線断面図。
【図３】キャップ本体の底面図。
【図４】図３のＢ−Ｂ線断面図。
【図５】（Ａ）上蓋が閉じた状態を示す断面図、（Ｂ）は（Ａ）のＰ部拡大図、（Ｃ）は（Ａ）のＱ部拡大図。
【図６】（Ａ）上蓋が閉じた状態を示す背面図、（Ｂ）は（Ａ）のＲ部拡大図。
【符号の説明】
【００６９】
１…ヒンジキャップ、２…キャップ本体、３…ヒンジ、４…上蓋、５…注出部、６…外壁部、７…薄肉溝部、７Ａ…開封の開始側、７Ｂ…開封の終了側、７Ｃ…対称軸線、７Ｄ…開封開始領域、８…弱化部、９…開封部材、１０…受面、１１…キャップ内部空間、１２…破断溝、４１…天板部、４２…スカート部、４３…内嵌部、４４…摘み部、５１…周壁部、５２…底壁部、６１…外壁主部、６２…連設部、７１…凸部、７２…平坦部、７３…第２傾斜部、７４…湾曲部、７５…第３傾斜部、７６…第１連結部、７７…第２連結部、７８…第３連結部、７９…第４連結部、８０…第５連結部、９１…支柱部、９２…リング部、１１１…内側空間、１１２…外側空間、４２１…気密係合部、４２２…当接面、４２３…気密突起部、４２４…係合溝、４２５…蓋切欠き部、４３１…内嵌突起部、５１１…鍔部、５１２…周壁膨出部、５２１…底水平部、５２２…底傾斜部、６１１…外壁膨出部、６１２…外壁切欠き部、６２２…係合突出部、６２３…係合小突起部、７１１…第１傾斜部、Ｃ１…基準中心線、Ｃ２…回動中心線、Ｘ…係合空間
【図１】
2008100704.tif 000003
【図２】
2008100704.tif 000004
【図３】
2008100704.tif 000005
【図４】
2008100704.tif 000006
【図５】
2008100704.tif 000007
【図６】
2008100704.tif 000008